Podtech/llm-jp-corpus-v4-ja_patent huggingface dataset:
(57)【要約】【課題】  今までの植木では、栽培スタート時の元肥が無くなって肥料を追肥する場合、茎の回りに置肥をする事が多く、植木の根に養分が到達するまでに時間がかかり、施肥効果も一定に留まっている。又  置肥の時によく発生する小蝿の害や、悪臭もある。【解決手段】  本実用新案は、固形肥料（油粕肥料等）を植木の上に直接挿入し、植木の毛根に直接肥料が働く形にし、元肥化とすることにより、茎の回りに置肥として追肥をするよりも効率良く養分が吸収されるようにする。又  土の中に固形肥料（油粕肥料等）を深く挿入し埋め込むようにすることによって、置肥の時によく発生する小蝿の害や、悪臭も防ぐ。【選択図】  図１0003105016.tif 000003
0003105016.tif 000002
【実用新案登録請求の範囲】
【請求項１】
固形肥料（油粕肥料等）断面の片側を、ロケット形、又は弾丸形の様に先端をとがらせることにより、抵抗少なく植木の土に押し込めるようにし施肥効率を高めた、固形肥料形態。
【考案の詳細な説明】
【技術分野】
【０００１】  本実用新案は、肥料の施肥効率を高めるために考えた形の肥料。
【背景技術】
【０００２】  従来の植木等の施肥は、植木の茎の回りに置肥のかたちで追肥をしている。
【考案の開示】
【考案が解決しようとする課題】  従来の植木等の施肥は、栽培のスタート時に固形肥料（油粕肥料等）などを元肥として土と一緒にまぜて施肥し、植木が成長するに従って元肥の養分が失われていく、それをお補うには、茎の回りに置肥として追肥をするか、又は植え替えて土を入れ替えている。
【考案が解決するための手段】
固形肥料（油粕肥料等）の片側を  ロケット形、又は  弾丸形の様に先を鋭利にし、固形肥料（油粕肥料等）を土に挿入する。
【考案の効果】
植木の土に直接  固形肥料（油粕肥料等）を挿入し元肥とすることにより、茎の回りに置肥として追肥をするよりも効率良く養分が吸収されるようにする。又  土の中に固形肥料（油粕肥料等）を深く挿入し埋め込む事により、置肥の時によく発生する小蝿の害や、悪臭も防げる。
【考案を実施するための最良の形態】  図１による。
【実施例】  植木の土に直接固形肥料を挿入し元肥とすることにより、茎の回りに置肥として追肥をするよりも効率良く養分が吸収されることが確認された。
【産業上の利用可能性】
【図面の簡単な説明】
【図１】「土に挿入しやすく先端をとがらせた、ロケット形、弾丸形、その他工夫した形の鳥瞰図である。」
【符号の説明】
１  ロケット形
２  弾丸形
３  その他工夫した形
【図１】
0003105016.tif 000004
【手続補正書】
【提出日】平成16年6月16日(2004.6.16)
【手続補正１】
【補正対象書類名】実用新案登録請求の範囲
【補正対象項目名】全文
【補正方法】変更
【補正の内容】
【実用新案登録請求の範囲】
【請求項１】
固形肥料断面の片側を、ロケット形、又は弾丸形の様に先端をとがらせることにより、抵抗少なく植木の土に押し込めるようにし施肥効率を高めた、固形肥料形態。
(57)【要約】      （修正有）【課題】２つの回転盤台を同時に同じ方向に、正確にかつ確実にスムースに動かす方式として、歯車及びゴムタイヤを用いる体全体のバランスを整える運動具を提供する。【解決手段】２つの回転盤台２を、より確実にかつ正確に作動させるため、その作動方式として回転盤台の中央及び中央上下に歯車３及びゴムタイヤを用いる。ゴムタイヤを用いた場合は２つのゴムタイヤを中央部分に互いに挟み込むようにすることで２つの回転盤台に密着させることができそれを可能とする。【選択図】図１
0003105061.tif 000002
【実用新案登録請求の範囲】
【請求項１】
基体に左右一対の回転盤台を乗せ、その回転盤台が左右同時に同じ方向により確実にかつ正確に動くよう中央に歯車を用いることを特徴とする体全体のバランスを整える運動具。
【請求項２】
基体に左右一対の回転盤台を乗せ、その回転盤台が左右同時に同じ方向により確実にかつ正確に動くよう中央上下に歯車を用いることを特徴とする体全体のバランスを整える運動具。
【請求項３】
基体に左右一対の回転盤台を乗せ、その回転盤台が左右同時に同じ方向により確実にかつ正確に動くよう中央上下にゴムタイヤを用いることを特徴とする体全体のバランスを整える運動具。
【考案の詳細な説明】
【技術分野】
【０００１】本考案は、一対の回転盤台の上へ両足で立ち乗り体を左右に捻転させながら上半身を様々に動かすことにより、体全体のバランスを整える運動具に関するものである。
【背景技術】
【０００２】従来の回転盤台一対を用いた運動具としては特開平１０−７６０２４及び特開２００３−７９７６１が知られているが、回転盤台を同じ方向に同時に動かす方式としてプーリー支持体やベルト方式を用いている。
【考案の開示】
【考案が解決しようとする課題】
【０００３】解決しようとする問題点はプーリー支持体においては回転盤台を同時に動かす運動方式としてはスムースではなく、ベルト方式においてはベルトの滑りが生じて回転盤台を互いに動かすための運動がうまく伝わらない点がある。
【課題を解決するための手段】
【０００４】  本考案は、一対の回転盤台の中央及び中央の上下に、歯車やゴムタイヤを用いることにより、確実にかつ正確に安定した動きを伝えることができうることを実現し、上記課題を解決することを最も主要な特徴とする。
【考案の効果】
【０００５】本考案に係る体全体のバランスを整える運動具は、一対の回転盤台を同時に左右同じ方向に動かす方式として、歯車またはゴムタイヤを用いることでより正確に、又確実に回転盤台を動かすことが可能であり実用性に優れている。
【考案を実施するための最良の形態】
【０００６】２つの回転盤台を並べておくのであるが、その２つの回転盤台の中間の中央及び中央の上下に歯車及びゴムタイヤを配置する。尚、ゴムタイヤの場合においては、２つのゴムタイヤを中央に互いに挟み込むようにすることで２つの回転盤台をスムースに同じ方向へ動かすことを実現した。
【実施例１】
【０００７】図１は歯車を中央に配置した上面図であり、図２は歯車を中央の上下に配置した上面図であり、図３は中央上下にゴムタイヤを配置した上面図である。
【産業上の利用可能性】
【０００８】回転盤台を互いに同じ方向に動かす方式として歯車及びゴムタイヤを用いることで、回転盤台の動きがより確実にかつ正確に安定して動きを伝達させることができる。
【図面の簡単な説明】
【０００９】
【図１】歯車を回転盤台の中央に配置した図である。
【図２】歯車を回転盤台の中央上下に配置した図である。
【図３】ゴムタイヤを回転盤台の中央上下に配置した図である。
【符号の説明】
【００１０】１    基体２    回転盤台３    歯車４    ゴムタイヤ
【図１】
0003105061.tif 000003
【図２】
0003105061.tif 000004
【図３】
0003105061.tif 000005
(57)【要約】      （修正有）【課題】ベルトの表面に付着物がリターン路に落下して、リターン路の全長を汚すので、ベルトコンベヤのヘッドプーリの外周下部に掻取板の先端縁を接触させたベルトクリーナ装置を設けて上記の問題を解消するようにしているが、付着物に粘性があるときや、ベルト表面の傷に入り込んだ付着物を除去することができない。そこで、粘性のある付着物であっても、また傷に入り込んだ付着物であっても有効（十分）に除去するようにしたクリーナ装置を提供する。【解決手段】ベルトコンベヤＡに於けるヘッドプーリ１の外周下部に掻取板３の先端縁を押し付ける方式のベルトクリーナ装置Ｂにおいて、振動機Ｃにより上記掻取板の先端に微振動を付与して、粘性のある付着物やベルトの傷に入り込んだ付着物を振い落す。【選択図】図１
0003105063.tif 000002
【実用新案登録請求の範囲】
【請求項１】
ベルトコンベヤに於けるヘッドプーリ周辺のベルトの汚れ面に掻取板の先端縁を押し付ける方式のベルトクリーナ装置において、振動機により上記掻取板の先端に微振動を付与したことを特徴とするベルトコンベヤのクリーナ装置。
【考案の詳細な説明】
【技術分野】
【０００１】
この考案は、ベルトコンベヤのベルトの付着物を除去するベルトクリーナ装置に関する。
【背景技術】
【０００２】
ベルトの走行によって土砂などの搬送物を搬送するベルトコンベヤにおいては、ベルトの表面に付着する付着物がベルトのリターン路において落下し、リターン路を汚すという問題があった。
【０００３】
そこで、図３に示すように、ベルトコンベヤ３１のヘッドプーリ３２の外周下部に付着物を落下させるベルトクリーナ装置３３を配置して、上述のリターン路全長を汚すという問題を解決している。
【０００４】
上記のベルトクリーナ装置３３としては、ベルト３４の表面にクリーナとしての掻取板３５の先端を押し付けている。
【考案の開示】
【考案が解決しようとする課題】
【０００５】
ところで、掻取板方式のクリーナ装置によると、ベルト表面の付着物に粘性があるときや、ベルト表面の凹凸傷に入り込んだ付着物は、十分除去することができない。
【０００６】
その要因は、ベルトに対し押し付ける掻取板が静止していることにある。
【０００７】
そこで、この考案は、粘性のある付着物であっても、また傷に入り込んだ付着物であっても有効（十分）に除去するようにしたクリーナ装置を提供することにある。
【課題を解決するための手段】
【０００８】
上記のような課題を解決するために、この考案は、ベルトコンベヤに於けるヘッドプーリ周辺のベルトの汚れ面に掻取板の先端縁を押し付ける方式のベルトクリーナ装置において、振動機により上記掻取板の先端に微振動を付与した構成を採用する。
【考案の効果】
【０００９】
以上のように、この考案のベルトコンベヤのクリーナ装置によれば、振動機の運転にともない発生した微振動が掻取板の先端に伝達し、この伝達した微振動によりベルトの表面に付着した付着物に粘性があっても、又ベルトの表面の傷（凹凸）に入り込んだ付着物であっても、掻き落としに加えて振るい落し効果により除去効果が大幅に向上する。
【００１０】
また、従来のクリーナ装置に振動機を取付ける簡単な追加だけでクリーナ性能を向上させることができると共に、大幅な設備費のアップもない。
【考案を実施するための最良の形態】
【００１１】
この考案の実施形態を添付図面に基づいて説明する。
【００１２】
この考案の実施形態のベルトコンベヤＡは、ヘッドプーリ１とテールプーリ（図示省略）との間に無端状のベルト２をかけ渡して形成してある。
【００１３】
また、ヘッドプーリ１の周辺には、ベルト２の汚れ面に先端縁を接触（押し付け状態に）させた掻取板３を有するベルトクリーナ装置Ｂが設けてある。
【００１４】
上記のベルトクリーナ装置Ｂは、図示の場合、フレーム４に上下方向にスライド調整できる取付金具５を介し取付けてある軸受６に支持部材７の両端からのびる軸材８を取付けると共に、支持部材７に並列多数枚の掻取板３の下縁を例えば接着方式や金具を用いた固着方式などで支持させてある。
【００１５】
上記のベルトクリーナ装置Ｂは、図示の構成に限定されず、その他の構成であってもよい。
【００１６】
要するに、ベルト２の表面に掻取板３の先端縁を接触させて、掻き落とすものであればよい。
【００１７】
さらに、上記のベルトクリーナ装置Ｂには、掻取板３の先端に微振動を付与（伝達により）する振動機Ｃが設けてある。
【００１８】
上記の振動機Ｃとしては、例えばバイブレータや超音波発信器などがあり、図示の場合支持部材７に振動機Ｃを取付けて、掻取板３に振動を伝達するようにしてある。
【００１９】
要するに、既知の掻き落とし方式のベルトクリーナ装置Ｂに振動機Ｃを併設している。
【００２０】
上記のように構成すると、振動機Ｃの運転にともない掻取板３の先端に振動を伝達する。
【００２１】
すると、掻き落しに加える振るい落し効果によりベルト表面の粘着性のある付着やベルト表面の傷に嵌り込んだ付着物を極めて有効に除去する。
【００２２】
なお、除去された付着物は、クリーナ装置Ｂの付近に集中して落下するので、落下物の除去も容易である。
【図面の簡単な説明】
【００２３】
【図１】この考案の実施形態を示す側面図
【図２】同上の要部を示す拡大正面図
【図３】従来のベルトクリーナ装置を示す側面図
【符号の説明】
【００２４】
Ａ        ベルトコンベヤ
Ｂ        ベルトクリーナ装置
Ｃ        振動機
１        ヘッドプーリ
２        ベルト
３        掻取板
４        フレーム
５        取付金具
６        軸受
７        支持部材
８        軸材
【図１】
0003105063.tif 000003
【図２】
0003105063.tif 000004
【図３】
0003105063.tif 000005
(57)【要約】      （修正有）【課題】ベルトコンベヤのベルトを支承するトラフ形のローラは、ローラのシャフトの両端部外周面に設けてある溝をスタンドの切欠きに落し込んで支持するようになっているので、ローラの交換が容易に行うことができるようにしたローラの支持装置を提供する。【解決手段】ローラスタンド３の切欠き５の両側縁に複数のローラ１のシャフト４端部対向面の溝を落し込み係合してベルトをトラフ状に支承するローラの支持装置に於いて、上記ローラの入れ込み先行端側の溝６をシャフトの端面から内方に向け平らに欠除して設けた構成を採用し、切欠きに平らに欠除した溝を差し込むようにする。【選択図】図３
0003105062.tif 000002
【実用新案登録請求の範囲】
【請求項１】
ローラスタンドの切欠きの両側縁に複数のローラのシャフト端部対向面の溝を落し込み係合してベルトをトラフ状に支承するローラの支持装置に於いて、上記ローラの入れ込み先行端側の溝をシャフトの端面から内方に向け平らに欠除して設けたことを特徴とするベルトコンベヤ用ローラの支持装置。
【考案の詳細な説明】
【技術分野】
【０００１】
この考案は、ベルトコンベヤのベルトをトラフ形に支承するローラの支持装置に関する。
【背景技術】
【０００２】
ヘッドプーリとテールプーリとの間に無端状のベルトをかけ渡したベルトコンベヤにあっては、ベルトをトラフ形ローラで支承して搬送物の輸送量を増やしている。
【０００３】
上記のトラフ形ローラは、フレームから起立するスタンドに複数のローラのシャフトの端を支持させるようになっている。
【０００４】
上記シャフトの端の支持方式は、シャフトの両端部外周の対向面に設けてある（シャフトの軸線を横切るように）溝を、スタンドの上端から下方に向く切欠きに上方から落し込み、落し込みにともなう溝と切欠きの縁との係合関係によって不回転状態に支持する（例えば、特許文献１参照。）
【０００５】
【特許文献１】特開平７−２７７４６８号公報（第５図）
【考案の開示】
【考案が解決しようとする課題】
【０００６】
ところで、落し込みによる支持方式によると、何らかの不都合の発生にともないローラを交換する場合、ベルトを持ち上げて持ち上げ状況下にローラを交換する。
【０００７】
上記の交換は、まずローラを持ち上げながら、切欠きから両端側の溝を脱出させたのち、脱出状態を維持しながら抜き取る。
【０００８】
すると、上方への脱出移動長さが大きいためにベルトの持ち上げも上記の脱出を許容する高さにするため、大幅な持ち上げとなり、大変な作業になる。
【０００９】
特に、ベルトの幅が大きくなる程、ベルトの重量が増加するので、人力だけでは持ち上げることができず、機械的な持ち上げが必要になって多大な出費になる。
【００１０】
そこで、この考案は、ローラの交換が容易に行なうことができるようにしたローラの支持装置を提供することにある。
【課題を解決するための手段】
【００１１】
上記のように課題を解決するために、この考案は、ローラスタンドの切欠きの両側縁に複数のローラのシャフト端部対向面の溝を落し込み係合してベルトをトラフ状に支承するローラの支持装置に於いて、上記ローラの入れ込み先行端側の溝をシャフトの端面から内方に向け平らに欠除して設けた構成を採用する。
【００１２】
すると、ローラの入れ込み先行端側に平らに欠除した溝を位置させてベルトの側縁からベルトの下側にローラを入れ込み、ローラスタンドの切欠きに平らに欠除した溝を差し込みながらシャフトの片端（内端）側を支持し、次いでローラスタンドの切欠きにシャフトのもう片端（外端）側の溝を落し込んで、溝と切欠きの縁とを係合関係にする。
【考案の効果】
【００１３】
以上のように、この考案のベルトコンベヤ用のローラの支持装置によれば、ベルトの側縁を持ち上げて切欠きからシャフトの外端側の溝を脱出させ、この脱出状況下にローラをベルトの側縁外方に引き抜くことで、ローラスタンドの切欠きからシャフトの内端平らに欠除した溝を抜き取ることができ、ローラスタンドの切欠きにシャフトの内端平らに欠除した溝を差し込み、その後にローラスタンドの切欠きにシャフトの外端側の溝を落し込んで係合関係にすることができるので、ベルトを必要以上に持ち上げることなく、すなわち、ベルトの持ち上げは、切欠きから溝が脱出できる高さのみのため極めてスムーズに交換することができる。
【００１４】
特に長尺な（ベルト幅の大きい）重量の大きいローラであっても交換が容易になる。
【考案を実施するための最良の形態】
【００１５】
この考案の実施形態を添付図面に基づいて説明する。
【００１６】
この考案の実施形態では、図１及び図２に示すように、ベルトＡを支承するトラフ形の複数のローラ１は、センタと、左右一対のサイドと、からなり、一対のサイドのローラ１は、外端部が内端より高くなる傾斜状に配置してある。
【００１７】
上記の各ローラ１は、取付けフレーム２から起立するローラスタンド３にローラ１のシャフト４の両端を着脱自在に支持させてある。
【００１８】
上記の着脱自在な支持は、各スタンド３の上端から下方に向けて設けてある切欠き５の両側縁にシャフト４の両端部の溝６、７とが係合関係になって定位置にシャフト４を支持すると共に、回転しないように拘束する。
【００１９】
そして、図３に示すように、片方の溝６は、シャフト４の端面から内方に向け平らになるように欠除（背切加工）して設け、もう片方の溝７はシャフト４の端部に軸線を横切って設けてある。
【００２０】
上記のように構成すると、スタンド３の切欠き５にシャフト４の片端の端面から内方に平らに欠除した溝６を差し込んで支持させ、その後にスタンド３の切欠き５にシャフト４もう片端の溝７を差し込んで、スタンド３、３にローラ１を支持させる。
【００２１】
ローラ１の取外しは、切欠き５から溝７を脱出させたのち、切欠き５からシャフト４の溝６側を引き抜く。
【００２２】
いずれも、ローラ１の取付け、取外しに際し、ベルトＡを持ち上げ、その持ち上げも切欠き５から溝７が脱出可能な、切欠き５に溝７を落し込み可能な高さでよい。
【００２３】
なお、センタローラ１のシャフト４の溝６、７を上述の構造を採用することによってサイドローラ１と同様に取付け、取外し（交換）が容易になる。
【図面の簡単な説明】
【００２４】
【図１】この考案の実施形態を示す正面図
【図２】同上の平面図
【図３】ローラの拡大正面図
【符号の説明】
【００２５】
Ａ        ベルト
１        ローラ
２        フレーム
３        スタンド
４        シャフト
５        切欠き
６、７    溝
【図１】
0003105062.tif 000003
【図２】
0003105062.tif 000004
【図３】
0003105062.tif 000005
(57)【要約】【課題】  例えば、乗用車のフロントガラスやリアウインドの内面を確実且つ簡単に拭い掃除できるようにすることにある。【解決手段】    把手桿材１の先端面に、弾性変形が自在なプレート２を前記した把手桿材１の軸心に対して傾斜姿勢に固定し、更にこのプレート２の先端面に払拭布４を着脱自在に装着した構成で、湾曲するウインドの内面にプレート２を押し当てると、このプレート２はその湾曲に対応して変形し、その先端表面に装着されたふっしょく布４がウインドに密着し、傾斜するウインドの奥まった下端部を確実且つ簡単に払拭清掃することができる。【選択図】        図１
0003105030.tif 000002
【実用新案登録請求の範囲】
【請求項１】
把手桿材（１）の先端面に、弾性変形が自在なプレート（２）を前記把手桿材（１）の軸心に対して傾斜姿勢に固定し、更に該プレート（２）の先端面に払拭布（４）を着脱自在に装着したことを特徴とする清掃具。
【考案の詳細な説明】
【技術分野】
【０００１】
本考案は、主として乗用車の窓ガラスの内面を掃除する清掃具に関する。
【背景技術】
【０００２】
自動車、特に乗用車は、空気抵抗をできるだけ軽減するように及びデザイン性の観点から、そのフロントガラス、或いはリアウインドが傾斜姿勢になっている。
【０００３】
そのためフロントガラスの内面は、ほぼ水平形態のダッシュボードの上面と鋭角に交叉し、また、リアウインドの内面は、ほぼ水平形態の後部シートの上面及び後部トランクの上面と鋭角に交叉し、それ故、フロントガラスやリアウインドの内面を拭い掃除する場合、それらの下部内面に手が届きにくく、満足な掃除ができない不満点があった。しかもこれ等は左右及び上下に湾曲していることが多いので、拭きにくさは増幅する。
【０００４】
窓ガラスの湾曲面を清掃する考案として、例えば以下の如き「窓拭き用具」が提案されている。
【特許文献１】実開平５−３５０４４号公報
【考案の開示】
【考案が解決しようとする課題】
【０００５】
上記した特許文献１の考案は、「柄の下端部に設置された支台の下側に、清掃部を貼着した清掃体に連結する揺動棒をバネで支架状態に内蔵せしめた複数個のシリンダーを設置」した構成である。
【０００６】
ここでは、ガラスの湾曲面に沿って各シリンダーの揺動棒がバネを介して個々に前進後退動するので、清掃体の清掃部がぴったりと隙間なく窓ガラスに密着するとしている。
【０００７】
しかしながらこの考案は、先ず構成が極めて複雑であって成形コストが嵩むであろうことが推測され、シリンダーの構成があるため、前記したフロントガラスやリアウインドの内面とダッシュボードの上面等との鋭角の隙間に入れ込みにくく、拭い掃除のできにくいものである。
【０００８】
よって本考案は、この従来の不満点を解消し要求に応えるべく考案された清掃具であって、フロントガラスやリアウインドの内面を確実且つ簡単に拭い掃除できるようにすることを目的とする。
【課題を解決するための手段】
【０００９】
上記課題を解決するため本考案の清掃具は、把手桿材の先端面に、弾性変形が自在なプレートを前記した把手桿材の軸心に対して傾斜姿勢に固定し、更にこのプレートの先端面に払拭布を着脱自在に装着したことを特徴とする構成である。
【考案の効果】
【００１０】
本考案の清掃具は上述した構成となっているので、フロントガラスやリアウインドの内面を払拭清掃する場合、払拭布に洗剤液や水を含ませ、或いは単に乾燥した状態で把手桿材を把持して、払拭布を装着したプレートをウインドの内面に押し当てると、このプレートは弾性変形が自在であるので、この押し当てによりプレートはウインドの湾曲面に沿って変形して払拭布をウインドに密着させることができる。
【００１１】
プレートは把手桿材の先端にその軸心に対して傾斜姿勢で固定されているので、ほぼ水平形態のダッシュボード上面等と傾斜形態になっているウインド等との間の鋭角に交叉した隙間に挿入させると、払拭布をウインドの傾斜に対応させてウインドの下端部奥まで確実に届かせることができ、且つぴったりと面密着させることができる。
【００１２】
しかもこの面密着は、払拭清掃に伴って把手桿材を移動させても、ウインドの湾曲面に対応してプレートが変形して常に維持されることになるので、手の届きにくいウインドの下端部奥を左右上下に持続して払拭清掃することができるのである。
【考案を実施するための最良の形態】
【００１３】
木材・合成樹脂材等で成形される把手桿材１の先端は斜めに削切されてあり、この傾斜先端面に、弾性変形が自在な合成樹脂製のプレート２を貼着固定する。従ってプレート２は、把手桿材１の軸心に対して傾斜姿勢となる。
【００１４】
そしてプレート２の先端面には、面ファスナー３が一体設されてあり、この面ファスナー３に着脱自在に払拭布４が装着される。
【００１５】
この払拭布４は、面ファスナー３に貼着し易く且つ剥がれにくい繊維質で、しかも吸水性に優れたものが選択される。
【００１６】
払拭布４は面ファスナー３を介してプレート２に着脱自在となっているので、清掃によって払拭布４が汚れたならば、適宜交換することもできる。
【００１７】
図３は乗用車内部の略図であって、例えば後部座席５後方のほぼ水平面部分６と傾斜しているリアウインド７との間の鋭角になった空間部分に本考案にかかる清掃具を挿入し、リアウインド７の下端部を清掃する状態を示したものであり、直接に手の届きにくい部分を簡単且つ確実に払拭清掃することが可能である。
【図面の簡単な説明】
【００１８】
【図１】本考案にかかる清掃具の正面図である。
【図２】プレートと払拭布の斜視図である。
【図３】清掃状態を示す乗用車内部の略図である。
【符号の説明】
【００１９】
１    把手桿材
２    プレート
３    面ファスナー
４    払拭布
５    後部座席
６    水平面部分
７    リアウインド
【図１】
0003105030.tif 000003
【図２】
0003105030.tif 000004
【図３】
0003105030.tif 000005
(57)【要約】【課題】自動車の運転において同乗者に快適な乗り心地をあたえるには運転者の急加速、急減速を減らすことである。自己の運転する自動車の走行中の加速度を線の振れとして記録紙上に記録し、降車後ベテランドライバーのそれと比較することで自己の運転に対する反省の材料にしようとするものである。【解決手段】加速度計測部６、制御部５、操作部４、記録部７を小形にまとめ、自動車内の運転に支障の無い場所に固定し計測を行う。加速度計測部はスプリングによって２方向から直線的に支えられている可動体にかかる圧力を圧電素子で計測するか、あるいは可動体の変位を直接記録紙に記録させる等の方法がある。【選択図】図１
0003105023.tif 000002
【実用新案登録請求の範囲】
【請求項１】
主として自動車の車内に容易に取り付け又は取り外し可能な、小型の加速度記録器であって、ゆっくり送られる記録紙上に走行中の加速減速結果が線の振れとして表されるもので、記録紙は計測終了後に切り取ることができるもの。
【考案の詳細な説明】
【技術分野】
【０００１】
本考案は、主として自動車の車内に容易に取り付け又は取り外し可能な小型の加速度記録計に関するものである。
【背景技術】
【０００２】
加速度計はアナログ式あるいはデジタル式等多数開発されており、原理的に本考案がこれらと相違するものではない。
【０００３】
本考案はアナログ式加速度計に属するものであって、測定された加速度の変化は線の振れとして記録紙上にあらわされる。
【０００４】
計測終了後、記録紙は切り取られ、車外において他者の記録と視覚的に対比させて自己の記録を比較検討することができる。
【０００５】
加速度計測にあたっては従来から図３のごとくスプリング９、１１によって保持される可動体１０にかかる力を、圧電素子８、１０から電気信号として取り出す方法がある。
【０００６】
加速度計は一般的なものであって、車両の開発にあたっては人体に与える影響を調べる必要から、より精密に測定する必要があり多数の文献に見られる提案がなされている。しかし自動車運転者個人が持つことを想定しての本考案は発見できない。
【特許文献１】特許公開２０００−１２１５０６
【特許文献２】特許公開平１０−１６６０９
【特許文献３】特許公開平９−４９８５４
【考案の開示】
【考案が解決しようとする課題】
【０００７】
解決しようとする問題点は、自動車を運転する場合、一般的に同乗者に与える快、不快は運転者の急発進、急停車、急加速、急ブレーキ等加速度にかかわる運転操作が関係している。しかるにこのことは運転者自身が自覚していることが少ないため、自己の運転の客観的評価が運転者に対してフィードバックされにくいことがあった。
【課題を解決するための手段】
【０００８】
本考案は、走行中の加速度を記録し、数値データとしてではなく、線の振れとして表し、走行中の自己の運転による加速度の変化が視覚的に了解できるようにしたもので、記録紙は切り取り、降車後に自己の運転に対する検討資料とすることができるものであり、本装置を車内に容易に着脱できることを特徴とする。
【考案の効果】
【０００９】
本考案の加速度記録器によって得られた記録結果は、記録紙として車外へ持ち出し、他者、あるいはベテランのドライバーによる走行結果と容易に比較することができ、自己の運転に対する良い反省材料を提供することができる。タクシーの乗務員教育、自動車教習所、あるいは自家用車運転者に対する快適運転の技術習得に役立ち、ひいては交通安全に寄与するものと思われる。
【考案を実施するための最良の形態】
【００１０】
本考案による装置は、図２のごとく加速度計測部４、制御部５、操作部６および記録部７から成り立ち、それらが小形にまとめられ、一般の自動車の車内に簡単に取り付けあるいは取り外しできる物である。
【実施例１】
【００１１】
図１は、本考案装置の１実施例の外観図であって、３は得られた記録紙を示している。
【産業上の利用可能性】
【００１２】
タクシーの乗務員教育、自動車教習所、あるいは自家用車運転者に対する快適運転の技術習得に役立ち、ひいては交通安全に寄与する。
【図面の簡単な説明】
【００１３】
【図１】本考案による加速度記録器の外観図（実施例１）である。
【図２】本考案による加速度記録器の構成図である。
【図３】加速度計測部の例である。
【符号の説明】
【００１４】
１    加速度記録器の外観
２    操作スイッチ類
３    記録紙
４    操作部
５    制御部
６    加速度計測部
７    記録部
８    圧電素子
９    スプリング
１０    可動体
１１    スプリング
１２    圧電素子
【図１】
0003105023.tif 000003
【図２】
0003105023.tif 000004
【図３】
0003105023.tif 000005
【手続補正書】
【提出日】平成16年6月14日(2004.6.14)
【手続補正１】
【補正対象書類名】実用新案登録請求の範囲
【補正対象項目名】請求項１
【補正方法】変更
【補正の内容】
【請求項１】
自動車を運転する際、加速又は減速するときに発生する加速度を、スプリングで支持された可動体につながった圧電素子から発生する電気信号に変換するか、あるいは可動体の位置の変化を電気抵抗値の変化として変換する計測部と、操作スイッチ類を有する操作部と、それらの部分からの電気信号を受け必要な出力を発生させる制御部と、制御部からの加速度に対応した出力を記録紙上に直線の長さとして表示させる記録部とを備え、計測終了後に同記録紙を切り取り車外へ持ち出すことができることを特徴とする自動車用小形加速度記録器。
(57)【要約】      （修正有）【課題】寝ている時冷たい大気に肩が触れても寒くなく風邪も引くこともなく安眠出来るパジャマを提供する。【解決手段】遠赤外線入りの布地からなる当布７・１４を、前身頃上部３ｂ・１１ｂと後身頃上部４ａ・１２ａと脇８側の袖上部６ａ・１３ａの裏面に、着用時に肩全体を背中から胸上部付近や腕の一部を覆うよう設けるようにしたものである。【選択図】図１
0003105005.tif 000002
【実用新案登録請求の範囲】
【請求項１】
遠赤外線入りの布地からなる当布を、前身頃の前身頃上部と後身頃の後身頃上部と脇側の袖上部の裏面に設けるようにしたことを特徴とするするパジャマ。
【考案の詳細な説明】
【技術分野】
【０００１】  本考案は寝るときに着るパジャマに関するものである。
【背景技術】
【０００２】  生活水準の向上に伴い建物には冷暖房を備え衣服は季節に相応しない布地にて夏は涼しく冬は暖かく作られ、快適な日常生活が送られる様になって来た。
特に冬の寒い時季にはエアコンやストーブ或いは電気カーペットなどによって室内暖房を行って来た。
そして寝具類も羊毛から羽毛のものが用いられ寝巻類も含めて色々と工夫されより自然な状態で暖かく睡眠出来るようになって来た。
【考案が解決しようとする課題】
【０００３】  しかし、睡眠中室内をエアコンやストーブで暖房したまま寝るのは寒冷地方を除いてはまだ一部分で殆どが暖房を切って寝ている。
そのため寝相が悪く掛けていた掛布団が肩の部分より外れたりして肩が露出し、外気温の低下によって下がって来た室温が隙間風のように当たって肩を冷やし寒くなって眠りを覚ましたり時には風を引いたりしてしまい、就寝中非常に不都合を感じていた。
【課題を解決するための手段】
【０００４】  本考案はこのような不都合を解消し、就寝中何らの都合で肩から掛布団が外れて肩が晒される状態になっても安心して就寝することが出来るようにしたパジャマを提供せんとするものである。
遠赤外線入りで肌触りと保温性の良い布地からなる当布を、前身頃の前身頃上部と後身頃の後身頃上部と脇側の袖上部の裏面に，着用時に肩全体を背中から胸上部付近や腕の一部を覆うよう逢着或いは接着又はファスナー等にて設けるようにしたものである。
【０００５】  作用について、
使用に当っては従来と同じように用いる。
すると遠赤外線にて肩全体が暖かく、寝相が悪かったり或いは何かの都合で掛布団が移動して肩が出たりしても寒く感じなく、又風も引きにくい。
【考案の効果】
【０００６】  上述の如く本考案は、着用時に背中から胸の部分まで遠赤外線入りの当布で覆うようにしたことによって、寝相が悪く或いは何らかの都合で掛布団がずれて肩が掛布団より出たりしても、遠赤外線にて暖められいて寒くなく風邪も引きにくいため安心して睡眠をすることが出来る。
【考案を実施するための最良の形態】
【０００７】  遠赤外線入りの布地からなる当布を、前身頃の前身頃上部と後身頃の後身頃上部と脇側の袖上部の裏面に設けるようにしたものである。
【実施例１】
【０００８】  以下本考案の一実施例を図面について説明する。
図中１は前開きのパジャマ全体を示し、２は肌触りと保温性の良い布地からなるパジャマ本体であって、前開きとし前面をボタン３ａにて止めるようにした前身頃３に後身頃４を縫着し、襟５を前身頃３と後身頃４の中央上部に、又上部左右に袖６を縫着にて設けている。
７は遠赤外線入りの肌触りと保温性の良い布地からなる当布であって、前身頃３のボタン３ａの部分を除く前身頃上部３ｂと、後身頃の上方の後身頃上部４ａａと、袖６の脇８側の袖上部６ａの裏面に、着用時に肩全体を背中から脇上部や腕の一部を覆うように縫着にて設けている。
としている。【０００９】  使用に当っては従来のものと同じよう寝る時に用いれば良い。
すると、寝相が悪く掛布団が移動して肩が露出したりしても、当布７にて肩全体が覆われ当布７の遠赤外線にて暖かく安心して寝ることが出来る。
【実施例２】
【００１０】  図中９はパジャマ全体を示し、１０は布地からなるパジャマ全体であって、中央上方の一部をボタン１１ａにて止めて前開きとした前身頃１１に後身頃１２を縫着し、襟１５を前身頃１１と後身頃１２の上部に、又上部左右に袖１３を縫着にて設けている。
１４は遠赤外線入りの肌触りと保温性の良い布地からなる当布であって、前身頃１１のボタン１１ａの部分を除く前身頃上部１１ｂと、後身頃の上方の後身頃上部１２ａと、袖１３，脇８側上方の袖上部１３ａの裏面に、着用時に肩全体を背中から胸上部や腕の一部を覆うよう縫着にて設けている。
【産業上の利用可能性】
【００１１】  本考案はパジャマ類の全てに利用する事を可能ならしめたものである。
【図面の簡単な説明】
【００１２】
【図１】実施例１の正面図
【図２】実施例１の背面図
【図３】実施例２の正面図
【図４】実施例２の背面図
【符号の説明】
【００１３】  １    パジャマ
２    パジャマ本体
３    前身頃
３ａ  ボタン
３ｂ  前身頃上部
４    後身頃
４ａ  後身頃上部
５    襟
６    袖
６ａ  袖上部
７    当布
８    脇
９    パジャマ
１０    パジャマ本体
１１    前身頃
１１ａ  ボタン
１１ｂ  前身頃上部
１２    後身頃
１２ａ  後身頃上部
１３    袖
１３ａ  袖上部
１４    当布
１５    襟
【図１】
0003105005.tif 000003
【図２】
0003105005.tif 000004
【図３】
0003105005.tif 000005
【図４】
0003105005.tif 000006
(57)【要約】【課題】  家庭において高齢者が座してカラオケ譜面を用いて練習するのに、眼の疲れを軽減し練習成果を向上させるためには、どの様な手立てがあるか。【解決手段】  木台に穴をあけ、そこへＴ字状の板を妥当な６５度の傾斜角度をつけてはめ込み、Ｔ字状板の両端にクリップでカラオケ譜面を挟み吊るし、座して卓上で使用出来る堅牢で組み立て分解が簡単でコンパクトな譜面吊るしにした。【選択図】  図  １【実用新案登録請求の範囲】
【請求項１】
木台に傾斜のついた穴を作り、そこへＴ字状の板を差し込みＴ字状板の両端に１枚のカラオケ譜面をクリップで挟み吊るす装置。
【請求項２】
譜面を挟み吊るしたＴ字状板の傾斜角度は６０〜７０度とし、６５度を妥当な角度とする。
【考案の詳細な説明】
【技術分野】
【０００１】  本考案は主として高年代層やその他の年代層が座して卓上に１枚のカラオケ譜面をＴ字状の板にクリップで挟み吊るして練習するための譜面吊るし装置に関するものである。
【背景技術】
【０００２】  本考案のように卓上に１枚のカラオケ譜面のみを挟み吊るすといった専用譜面吊るしがこれまで無かったので、従来を強いて所見台、譜面台から見るとするならば、概して組み立てが複雑であるか、或いはベニヤ板材や厚手の紙など脆弱な材料が使用されているものがある。その他セットされた譜面の妥当な傾斜角度が固定されていない。
【考案の開示】
【考案が解決しようとする課題】
【０００３】  カラオケを譜面で練習しようとする者、特に高齢者にとっては考案の組み立て分解が簡単で使用に当たって眼の疲労を軽減するためには、譜面の傾斜角度が妥当な角度に固定され、且つコンパクトで携帯に便利なためには堅牢でなければならない。
【課題を解決するための手段】
【０００４】  木台に傾斜のついた穴を作り、そこへＴ字状の板を差し込みＴ字状板の両端に１枚のカラオケ譜面をクリップで挟み吊るし、Ｔ字状板の傾斜角度は６０〜７０度とし６５度を妥当な角度とする。
【考案の効果】
【０００５】  本考案はカラオケを愛好する特に高年代層が座して１枚のカラオケ譜面を眼の疲労が軽減される様に妥当な傾斜角度でクリップで挟み吊るして練習することが出来、しかも組み立て分解が簡単な上コンパクトで堅牢を兼ね備える。
【考案を実施するための最良の形態】
【０００６】  木台に傾斜のついた穴を開け、そこへＴ字状に作った板を差し込み板の両端にカラオケ譜面をクリップで挟み吊るす。
【実施例】
【０００７】  木台に傾斜角度をつけて穴を切り込み、穴の表面外側の切れた部分を小木片で接着しくり貫いた穴のようにする。【０００８】  カラオケ譜面を吊るすＴ字状板の交差する部位は、立て板と横板をはめ込み式に作って分解可能とし、立て板は中央部を３により中折れにしてコンパクトで携帯を容易にした。【０００９】  Ｔ字状板の両端は厚みを半分にしてクリップで紙面を挟み易いようにし、
譜面サイズはＡ４・Ｂ４紙を挟み、その他両端以外の所でもＢ５紙などを挟むことが可能な厚みとした。【００１０】  木台に差し込んだＴ字状板の傾斜角度を固定するため、小木片を木台に接着した。
【産業上の利用可能性】
【００１１】  産業上の利用可能性としては、考案の構造や取り扱いが簡単でコンパクト、更には世間一般をみると多くの高齢者はカラオケ譜面を卓上に置いた状態で練習を行なっている。本考案の譜面を妥当な傾斜角度に吊るすと高齢者にとっては見易く眼の疲れが軽減され練習成果の向上につながるものと思料される。
【図面の簡単な説明】
【００１２】
【図１】  組み立て式卓上カラオケ譜面吊るしを示した斜視図である。
【図２】  木台を傾斜をつけて切り込んだ穴を示した平面図である。
【図３】  木台の切り込んだ穴の表面外側を小木片でつなぎ、くり貫いた穴のように修復したところを示した平面図である。
【図４】  Ｔ字状の板を妥当な傾斜角度をつけて差し込んだ時、その角度を固定させるために小木片を木台に接着した平面図である。
【図５】  クリップで譜面の両端を挟み吊るす位置とＴ字状板の立て板と横板をはめ込む位置を示した断面図である。
【符号の説明】
【００１３】  １  クリップで譜面を挟み吊るす位置。
２  Ｔ字状板の立て板と横板をはめ込む位置。
３  蝶つがい。
４  Ｔ字状板を木台の穴に差し込んだ時、傾斜角度を固定させるため木台に接着した小木片。
５  Ｔ字状板と木台との傾斜角度。
６  Ｔ字状板を差し込む穴。
７  切り込んだ木台の穴を小木片で修復した箇所。
【図１】
0003105004.tif 000002
【図２】
0003105004.tif 000003
【図３】
0003105004.tif 000004
【図４】
0003105004.tif 000005
【図５】
0003105004.tif 000006
【手続補正書】
【提出日】平成16年6月3日(2004.6.3)
【手続補正１】
【補正対象書類名】実用新案登録請求の範囲
【補正対象項目名】請求項２
【補正方法】変更
【補正の内容】
【請求項２】
譜面を挟み吊るしたＴ字状板の傾斜角度は６０〜７０度であることを特徴とする請求項１に記載の装置。
(57)【要約】      （修正有）【課題】水温と気温の温度差の激しい冬季における、ガラス板の下面および目盛盤に結露を防止して、検針時における水使用量の視認性を確保する。【解決手段】乾式水道メーターのレジスターボックス３内部の空気を不活性ガスに置換し、不活性ガス封入部に密封することにより、乾式水道メーター本体を通過する水とレジスターボックス３の外気温との温度差によって生じるガラス板４の下面および目盛盤７への結露を防止抑制して積算表示部の視認性を確保する。【選択図】図１
0003105007.tif 000002
【実用新案登録請求の範囲】
【請求項１】
乾式水道メーターのレジスターボックス図１（３）内の空気を不活性ガス（窒素ガス等）に置換て密封することにより、不活性ガス封入部図２（８）の結露を防止抑制し、積算表示部の視認性悪化を防止して水道メ−タ−の機能障害を防止することを特徴とする結露防止の乾式水道メーター
【請求項２】
請求項１に記載の不活性ガスの注入密封工程は、真空吸引装置により乾式水道メーターのレジスターボックス（３）内の空気を除去し、不活性ガス封入部（８）に不活性ガス（窒素ガス等）を注入してガラス板（４）により、閉塞し不活性ガス（窒素ガス等）を密封し使用することを特徴とする結露防止の乾式水道メーター
【考案の詳細な説明】
【技術分野】
【０００１】
乾式水道メーターのレジスターボックス（３）内に発生する結露防止に関する。
【背景技術】
【０００２】
現在発明、考案されている数字車上部と窓ガラス間に透明樹脂板を配置した乾式水道メーターは、レジスターボックス（３）内に空気が残存する限り結露現象発生の問題がある。
【０００３】
現在発明、考案されている樹脂製キャップを文字板上部に僅少な隙間を設定した乾式水道メーターは、部分的には効果があるが、レジスターボックス（３）内面に結露現象発生の問題がある。
【０００４】
現在発明、考案されている地上式メーターボックスは配管部には効果があるが、レジスターボックス（３）内面に結露現象発生の問題がある。
【０００５】
現在発明、考案されている指針読取装置でガスメーターには効果があるが、水道メーターのレジスターボックス（３）内面に結露現象発生の問題がある。
【特許文献１】特開平１１−２３０８１１号  （乾式水道メーター）
【特許文献２】特開２０００−２３０８４８号（乾式水道メーター）
【特許文献３】実開昭５７−１９８０１５号  （地上式水道メーターボックス）
【特許文献４】実開昭５８−１３４７２９号  （計量器における指針読取り装置）
【考案の開示】
【考案が解決しようとする課題】
【０００６】
従来の乾式水道メーターは、レジスターボックス（３）の下部を通過する水流をマグネット羽根車（５）の回転により、レジスターボックス（３）内のマグネット歯車（６）が精密な歯車列を伝動回転させ積算値が表示される構造で、一定の空洞部分は空気で外気温度と通過する水温との温度差により、レジスターボックス（３）内面に結露現象を発生させ積算表示部の視認性とメ−タ−本来の機能を著しく悪化させる問題がある。
【０００７】
レジスターボックス（３）内のガラス板（４）の内面および目盛盤（７）に結露現象の成長により水球を生じると、積算表示部の視認性を著しく悪化させる問題がある。
【０００８】
レジスターボックス（３）内の結露が更に進行し、ガラス板（４）の内面に水膜となれば積算表示部の視認性が著しく悪化させさせる問題がある。
【０００９】
レジスターボックス（３）内の結露が成長して水球化すると、寒冷地においては凍結して積算表示部の視認性の悪化とともに、メ−タ−本来の機能にも支障を来たす問題がある。
【課題を解決するための手段】
【００１０】
本考案はこの点に鑑み、現在発明、考案されている「乾式水道メーター」の、結露発生のメカニズムの起因となるレジスターボックス（３）内の空気を完全に除去することにより、結露発生のメカニズムの起因を排除することを特徴とする乾式水道メーター。
【００１１】
従来の乾式水道メーターのレジスターボックス（３）内を不活性ガスで密封することを特徴とする結露現象防止の乾式水道メーターを提供する。
【考案の効果】
【００１２】
従来の乾式水道メーターのレジスターボックス（3）内の空気を不活性ガスに置換し、不活性ガスを注入密封することにより、レジスターボックス（3）内の結露現象発生を防止抑制して積算表示部の視認性悪化を防止する、結露現象発生防止の乾式水道メーター。
【００１３】
従来の乾式水道メーターのレジスターボックス（3）内の雰囲気を不活性ガスに置換することにより、結露現象の発生を防止して乾式水道メーター本来の機械的機能を保護することを特徴とする結露現象防止の乾式水道メーター。
【考案を実施するための最良の形態】
【００１４】
本考案によるレジスターボックス（３）の空気と窒素ガスの置換は、既存装置（真空吸引装置の一部仕様改造）を補充するのみの作業工程の変更で、空気の脱気及びガスの注入が可能となる。
【００１５】
本考案による空気と不活性ガスの置換作業の工程は、ガラス板（４）が装着されていないレジスターボックス（３）を真空吸引装置により空気を完全に除去し、次の工程において不活性ガス封入部図２（８）に不活性ガスを注入の後、ガラス板（４）を装着させ再度真空吸引装置吸引を実施するとレジスターボックス（３）の内圧と大気圧との差圧により、ガラス板（４）をレジスターボックス（３）に吸着固着させ不活性ガスが密閉される。
【００１６】
本考案による従来の乾式水道メーターの仕様構造を変更する必要性は皆無である。
【実施例】
【００１７】
本考案は、乾式水道メーターのレジスターボックス図１（３）内部の空気を不活性ガスに置換、密封し、乾式水道メーター本体を通過する水温と不活性ガス封入部図２（８）との温度差によって生じる結露現象の発生を防止抑制して積算表示部の視認性を確保し、メ−タ−本来の機能を維持することを特徴とする乾式水道メーターを提供する。
【００１８】
窒素ガスは、空気中に７８％を有する不活性ガスで、食品の乾燥、冷凍加工および、電球封入にも使用され安全性は高いものである。
【図面の簡単な説明】
【００１９】
【図１】乾式水道メーター本体断面図
【図２】乾式水道メーター本体断面不活性ガス封入部図
【符号の説明】
【００２０】
（１）上ケース
（２）下ケース
（３）レジスターボックス
（４）ガラス板
（５）マグネット羽根車
（６）マグネット歯車
（７）目盛盤
（８）不活性ガス封入部
【図１】
0003105007.tif 000003
【図２】
0003105007.tif 000004
【手続補正書】
【提出日】平成16年6月15日(2004.6.15)
【手続補正１】
【補正対象書類名】実用新案登録請求の範囲
【補正対象項目名】全文
【補正方法】変更
【補正の内容】
【実用新案登録請求の範囲】
【請求項１】
乾式水道メーターのレジスターボックス内の空気を不活性ガスに置換して密封してなることを特徴とする結露防止の乾式水道メーター。
【請求項２】
乾式水道メーターのレジスターボックス内の空気を不活性ガスに置換して密封し、不活性ガス封入部の結露を防止抑制することを特徴とする結露防止の乾式水道メーター。
(57)【要約】【課題】車や自転車などで外出の際に，手先から腕まで日焼けするのを防ぐために，手袋の長さを着衣の袖の長さに合わせて使用出来るなど，随時自由に長さを調節出来る手袋を提供する。【解決手段】手袋の長さを上腕部までとどく長さとし，手首から腕の部分の裏面に細いゴム紐を３本縦に等間隔にミシンでくの字型に縫い付け小さなひだ状のしわを作り，その伸縮により手袋を随時希望する長さに調節して使用する。【選択図】図１
0003105008.tif 000002
【実用新案登録請求の範囲】
【請求項１】
手袋の手首から上腕部までの部分に，細いゴム紐を３本縦に等間隔にくの字型にミシンで縫いつけ小さなひだ状のしわを作り，その伸縮を利用して長さを調節し，随時，希望する長さで使用出来ることを特徴とした日焼け防止用手袋。
【考案の詳細な説明】
【技術分】
【０００１】本考案は手袋の手首から上腕部までの裏面にゴム紐を縦に等間隔に３本ミシンでくの字型に縫い付けることにより，随時希望する長さで使用出来る手袋に関するものである。
［背景技術］
【０００２】従来の手袋は長さが固定されたものなので，随時希望する長さで使用することは出来なかった。
［考案の開示］
［考案が解決しようとする課題］
【０００３】解決しようとする問題は手袋の長さを固定せず，着衣の袖の長さに合わせるなど必要に応じて希望する長さで使用できるようにすることである。
［課題を解決するための手段］
【０００４】本考案は手袋の長さを上腕部まで届くものとし，手首から腕までの部分の裏面に細いゴム紐を縦に等間隔に３本ミシンでくの字型に縫い付け小さなひだ状のしわを作りその伸縮によって長さを調節する。
［考案の効果］
【０００５】手袋の長さを固定せず調節出来ることによって，外出時の着衣の袖の長さに合わせて使用すれば腕全体を被い日焼けを防ぐことが出来る。
［考案を実施するための最良の形態］
【０００６】外出時の袖の長さに合わせて手袋の長さを調節して使用する。短く使用する時は手首の上５〜６センチのところにしわをよせ，長く使用する時はしわを伸ばして着用する。
［実施例］
【０００７】自転車などで外出の際手袋の長さを着衣の袖の長さに合わせて肌を被い，腕を日焼けするのを防ぐ。
［産業上の利用可能性］
【０００８】日常生活に於いて女性が車を運転したり．自転車などで買い物に出ることが多いがそのような時に本考案の手袋は手と腕の日焼け防止に役立つ。
【図面の簡単な説明】
【０００９】［図１］手袋を伸縮させた使用例
［図２］伸縮させるためのゴムひもの付け方裏面にゴム紐を３本等間隔に「くの字」型にミシンで縫い付ける
【符号の説明】
【００１０】１  ひだ状しわ
２  ミシン目
３  ゴムひも
【図１】
0003105008.tif 000003
【図２】
0003105008.tif 000004